(57)【特許請求の範囲】
【請求項１】
画像データを順次転送する転送機能を有するカメラ移動体電話一体型複合端末装置であって、
撮影画像ごとに画像データを生成する手段と、
前記生成された画像データを記憶する記憶手段と、
送信相手先の複合端末装置への接続処理を実行する手段とを備え、前記送信相手先の複合端末装置はそのバッテリレベルをモニタする手段を有し、
前記送信相手先の複合端末装置に対し前記バッテリレベルを問合せる手段と、
前記問合せにより得られたバッテリレベルが、前記記憶手段に記憶されている１枚の画像の画像データを前記送信相手先の複合端末装置に転送するのに十分なバッテリレベルか否かを判定する手段と、
前記バッテリレベルが十分であると判定されると、前記１枚の画像の画像データを前記送信相手先の複合端末装置に送信する手段と、
前記バッテリレベルが不十分であると判定されると、前記送信相手先の複合端末装置への画像データの送信動作を終了させる手段と、
複数枚の画像のそれぞれの画像データが前記記憶手段に記憶されている場合に、前記送信相手先の複合端末装置に対して１枚の画像の画像データの送信が行なわれる度に、前記バッテリレベルの問合せと、前記記憶手段に記憶されている画像データであって前記送信相手先の複合端末装置に対して次に送信すべき画像データの転送に十分なバッテリレベルか否かの判定と、当該判定によりバッテリレベルが十分であると判定されたときに前記送信相手先の複合端末装置に対して前記次に送信すべき画像データを送信する動作と、を繰返す手段と、
前記記憶手段に記憶されている前記複数枚の画像の画像データがすべて送信されると、前記送信相手先の複合端末装置への画像データの送信動作を終了させる手段とをさらに備えた、カメラ移動体電話一体型複合端末装置。
【請求項２】
画像データを順次転送する転送機能を有するカメラ移動体電話一体型複合端末装置における画像データ転送制御方法であって、
撮影画像ごとに画像データを生成するステップと、
前記生成された画像データを記憶するステップと、
送信相手先の複合端末装置への接続処理を実行するステップとを備え、前記送信相手先の複合端末装置はそのバッテリレベルをモニタする手段を有し、
前記送信相手先の複合端末装置に対し前記バッテリレベルを問合せるステップと、
前記問合せにより得られたバッテリレベルが、前記記憶されている１枚の画像の画像データを前記送信相手先の複合端末装置に転送するのに十分なバッテリレベルか否かを判定するステップと、
前記バッテリレベルが十分であると判定されると、前記１枚の画像の画像データを前記送信相手先の複合端末装置に送信するステップと、
前記バッテリレベルが不十分であると判定されると、前記送信相手先の複合端末装置への画像データの送信動作を終了させるステップと、
複数枚の画像のそれぞれの画像データが前記記憶ステップによって記憶されている場合に、前記送信相手先の複合端末装置に対して１枚の画像の画像データの送信が行なわれる度に、前記バッテリレベルを問合せるステップと、前記記憶されている画像データであって前記送信相手先の複合端末装置に対して次に送信すべき画像データの転送に十分なバッテリレベルか否かを判定するステップと、当該判定によりバッテリレベルが十分であると判定されたときに前記送信相手先の複合端末装置に対して前記次に送信すべき画像データを送信するステップと、を繰返すステップと、
前記記憶ステップによって記憶されている前記複数枚の画像の画像データがすべて送信されると、前記送信相手先の複合端末装置への画像データの送信動作を終了させるステップとをさらに備えた、画像データ転送制御方法。
【発明の詳細な説明】
【０００１】
【発明の属する技術分野】
この発明は、カメラ移動体電話一体型複合端末装置、およびそのような装置における画像データの転送制御方法に関し、より特定的には、相手方の複合端末装置との間で、相手方の複合端末装置のバッテリ切れを引き起こすことなく画像データを確実に転送することができるカメラ移動体電話一体型複合端末装置、およびその画像データ転送制御方法に関するものである。
【０００２】
【従来の技術】
近年の移動体通信の著しい発達に伴い、移動体通信端末装置に通信機能以外のさまざまな機能を付加することが提案されている。そのような複合端末装置の一例として、デジタルスチルカメラ（ＤＳＣ）と、ＰＨＳなどの移動体電話の端末機とを一体化して構成した、カメラ移動体電話一体型複合端末装置が提案されている。
【０００３】
このような複合端末装置は、通常のＰＨＳ端末機として公衆モードおよびトランシーバモードのいずれにおいても従来通りの音声による通話が可能であるとともに、送信先が同様の複合端末装置である場合には、当該ＰＨＳ端末機と一体化されたＤＳＣによって撮影された画像データの送信先端末機への転送も可能である。
【０００４】
【発明が解決しようとする課題】
ところで、上述のような複合端末装置間でＰＨＳのデータ通信機能を用いて画像データを転送する場合、画像データは容量が大きいため、転送中に送信相手先（受信側）の複合端末装置のバッテリが消耗してしまい、データを受信することができなくなってしまうという事態が考えられ、そのような場合にはデータにエラーが発生してしまうという問題がある。
【０００５】
それゆえに、この発明の目的は、送信相手先の複合端末装置への画像データの転送途中における、送信相手先の複合端末装置のバッテリ切れに起因するエラーの発生を防止したカメラ移動体電話一体型複合端末装置および画像データ転送制御方法を提供することである。
【０００６】
【課題を解決するための手段】
請求項１に記載の発明によれば、画像データを順次転送する転送機能を有するカメラ移動体電話一体型複合端末装置は、撮影画像ごとに画像データを生成する手段と、生成された画像データを記憶する記憶手段と、送信相手先の複合端末装置への接続処理を実行する手段とを備え、送信相手先の複合端末装置はそのバッテリレベルをモニタする手段を有し、カメラ移動体電話一体型複合端末装置はさらに、送信相手先の複合端末装置に対しバッテリレベルを問合せる手段と、問合せにより得られたバッテリレベルが、記憶手段に記憶されている１枚の画像の画像データを送信相手先の複合端末装置に転送するのに十分なバッテリレベルか否かを判定する手段と、バッテリレベルが十分であると判定されると、１枚の画像の画像データを送信相手先の複合端末装置に送信する手段とを備える。
【０００７】
このように構成したことにより、送信相手先の複合端末装置のバッテリレベルが十分な範囲内で、選択された画像の画像データが１枚ずつ送信されるので、画像データの転送中に、送信先のバッテリ切れに起因する通信の切断ならびにエラーの発生を防止することができる。
【０００８】
さらに、請求項１に記載の発明によれば、バッテリレベルが不十分であると判定されると、送信相手先の複合端末装置への画像データの送信動作を終了させる手段をさらに備える。
【０００９】
このように構成したことにより、送信相手先の複合端末装置のバッテリレベルが不十分であると判定された１枚の画像の画像データは送信の対象とせずに送信モードを終了するので、画像データの転送途中に、送信先のバッテリ切れに起因する通信の切断ならびにエラーの発生を防止することができる。
【００１０】
さらに、請求項１に記載の発明によれば、複数枚の画像のそれぞれの画像データが記憶手段に記憶されている場合に、送信相手先の複合端末装置に対して１枚の画像の画像データの送信が行なわれる度に、バッテリレベルの問合せと、記憶手段に記憶されている画像データであって送信相手先の複合端末装置に対して次に送信すべき画像データの転送に十分なバッテリレベルか否かの判定と、当該判定によりバッテリレベルが十分であると判定されたときに送信相手先の複合端末装置に対して次に送信すべき画像データを送信する動作と、を繰返す手段と、記憶手段に記憶されている複数枚の画像の画像データがすべて送信されると、送信相手先の複合端末装置への画像データの送信動作を終了させる手段とをさらに備える。
【００１１】
このように構成したことにより、送信相手先の複合端末装置のバッテリレベルが不十分であると判定されるまで、複数枚の画像の画像データを順次、送信先のバッテリ切れに起因する通信の切断ならびにエラーの発生を引き起こすことなく、送信することができる。
【００１４】
請求項２に記載の発明によれば、画像データを順次転送する転送機能を有するカメラ移動体電話一体型複合端末装置における画像データ転送制御方法は、撮影画像ごとに画像データを生成するステップと、生成された画像データを記憶するステップと、送信相手先の複合端末装置への接続処理を実行するステップとを備え、送信相手先の複合端末装置はそのバッテリレベルをモニタする手段を有し、画像データ転送制御方法はさらに、送信相手先の複合端末装置に対しバッテリレベルを問合せるステップと、問合せにより得られたバッテリレベルが、記憶されている１枚の画像の画像データを送信相手先の複合端末装置に転送するのに十分なバッテリレベルか否かを判定するステップと、バッテリレベルが十分であると判定されると、１枚の画像の画像データを送信相手先の複合端末装置に送信するステップとを備える。
【００１５】
このように構成したことにより、送信相手先の複合端末装置のバッテリレベルが十分な範囲内で、選択された画像の画像データが１枚ずつ送信されるので、画像データの転送中に、送信先のバッテリ切れに起因する通信の切断ならびにエラーの発生を防止することができる。
【００１６】
さらに、請求項２に記載の発明によれば、バッテリレベルが不十分であると判定されると、送信相手先の複合端末装置への画像データの送信動作を終了させるステップをさらに備える。
【００１７】
このように構成したことにより、送信相手先の複合端末装置のバッテリレベルが不十分であると判定された１枚の画像の画像データは送信の対象とせずに送信モードを終了するので、画像データの転送途中に、送信先のバッテリ切れに起因する通信の切断ならびにエラーの発生を防止することができる。
【００１８】
さらに、請求項２に記載の発明によれば、複数枚の画像のそれぞれの画像データが記憶ステップによって記憶されている場合に、送信相手先の複合端末装置に対して１枚の画像の画像データの送信が行なわれる度に、バッテリレベルを問合せるステップと、記憶されている画像データであって送信相手先の複合端末装置に対して次に送信すべき画像データの転送に十分なバッテリレベルか否かを判定するステップと、当該判定によりバッテリレベルが十分であると判定されたときに送信相手先の複合端末装置に対して次に送信すべき画像データを送信するステップと、を繰返すステップと、記憶ステップによって記憶されている複数枚の画像の画像データがすべて送信されると、送信相手先の複合端末装置への画像データの送信動作を終了させるステップとをさらに備える。
【００１９】
このように構成したことにより、送信相手先の複合端末装置のバッテリレベルが不十分であると判定されるまで、複数枚の画像の画像データを順次、送信先のバッテリ切れに起因する通信の切断ならびにエラーの発生を引き起こすことなく、送信することができる。
【００２２】
【発明の実施の形態】
以下に、この発明の実施の形態によるカメラ移動体電話一体型複合端末装置について詳細に説明する。なお、以下の説明においては、カメラとしてはＤＳＣを用い、移動体電話としてはＰＨＳを採用した装置を例に説明する。したがって、この実施の形態による複合端末装置のことを、以下に、ＤＳＣ・ＰＨＳ複合端末機と称することとする。
【００２３】
図１は、この発明の実施の形態によるＤＳＣ・ＰＨＳ複合端末機の外観斜視図であり、図１の（ａ）は正面から、そして（ｂ）は裏面から見た図である。
【００２４】
図１（ａ）を参照して、ＤＳＣ・ＰＨＳ複合端末機の本体１の正面には、レンズ２が取付けられている。また、本体１の上面には、複合端末機のメインスイッチ３、シャッタボタン４、およびアンテナ５が取付けられている。
【００２５】
図１（ｂ）を参照して、ＤＳＣ・ＰＨＳ複合端末機の本体１の裏面には、ＬＣＤで構成された表示部６が形成されている。表示部６の周囲には、モードボタン７、セットボタン８、および方向ボタン９が設けられている。これらのボタン７〜９は、シャッタボタン４とともに、ユーザの操作入力のための入力手段を構成している。
【００２６】
図２は、図１に示したこの発明の実施の形態によるＤＳＣ・ＰＨＳ複合端末機の電気的構成を示す概略ブロック図である。図２を参照して、この発明の実施の形態によるＤＳＣ・ＰＨＳ複合端末機の電気的構成について説明する。
【００２７】
レンズ２を介して図示しない被写体から入射した光信号は、ＣＣＤ１０で受光され、電気信号である画像信号に変換される。画像処理回路１１は、この画像信号をデジタル処理して画像データを生成し、バス１００に与える。画像データＲＡＭ１２は、バス１００から画像データを受取って格納するメモリである。また、表示処理回路１３は、バス１００から画像データを受取って、ＬＣＤからなる表示部６に画像を表示するための処理を行なう回路であり、ビデオメモリ等を含んでいる。
【００２８】
一方、バス１００には、ＣＰＵ１４、ＲＯＭ１５、ＲＡＭ１６、時計回路１７および入力手段１８がさらに接続されている。
【００２９】
ＣＰＵ１４は、ＤＳＣ・ＰＨＳ複合端末機のうち、ＰＨＳ端末機の無線データ通信処理部を除く、他のすべての部分の動作を全体的に制御する。また、ＲＯＭ１５は、この複合端末機を動作させるための各種のプログラムを格納したメモリであり、ＲＡＭ１６はワークエリアとして機能するメモリである。
【００３０】
時計回路１７は、通話・通信時に法定の制限時間を計時するための回路であり、入力手段１８は、前述のシャッタボタン４、モードボタン７、セットボタン８、および方向ボタン９などのユーザの操作入力のための手段を総称したものである。
【００３１】
なお、バッテリ２０からは、電源回路２１を介して、複合端末機の各回路に電源供給がなされる。またバッテリ２０の残量であるバッテリレベルが常にバッテリレベル監視回路１９によってモニタされ、その結果はバス１００へ与えられる。
【００３２】
一方、バス１００に接続された無線データ通信処理部２２は、移動体電話機としてのＰＨＳのデータ通信機能を制御する。より詳細には、無線データ通信処理部２２は、ＣＰＵ１４との間でバス１００を介して送受信されるデータを、送信先（接続先）の端末機との間でエラーを伴うことなく転送するようにさまざまな制御を行なう。また、ＣＰＵ１４からのコマンドに応じて、送信先の端末機との接続／切断の制御も行なう。
【００３３】
ベースバンド処理回路２３および無線部２４は、無線データ通信処理部２２の処理の下に、移動体電話機としてのＰＨＳの基本機能を実現するものである。特に、ベースバンド処理回路２３は、通常の通話機能に加えてデータ通信機能をも備えており、また前述の公衆モードとトランシーバモードとの切換機能をも有している。無線部２４はアンテナ５を介して送信先（接続先）の端末機との無線通信を行なうための送受信回路として機能する。
【００３４】
次に、図１および図２に示したＤＳＣ・ＰＨＳ複合端末機の基本的な動作について説明する。
【００３５】
［画像の撮影］
ユーザが図１のシャッタボタン４（図２の入力手段１８の一部）を操作することにより、被写体からレンズ２を介してＣＣＤ１０に光信号が入射し、画像信号に変換される。この画像信号は、画像信号処理回路１１でデジタル処理されて画像データとなり、バス１００を介して画像データ用ＲＡＭ１２に格納される。
【００３６】
［画像の表示］
画像の撮影時や再生時には、画像データ用ＲＡＭ１２から、入力手段１８を介して指定された画像の画像データが読出され、バス１００を介して表示処理回路１３に転送される。表示処理回路１３は、ＬＣＤの表示部６に画像を表示するための処理を行なう。
【００３７】
［画像の送信］
まず、ユーザが入力手段１８を使って送信したい所望の画像を選択する。より詳細には、モードスイッチ７で送信画像選択モードに入った後、方向ボタン９で送信したい画像を選び、セットスイッチ８で選択登録する、という動作を行なう。
【００３８】
その後、ユーザは入力手段１８を操作して、公衆モードまたはトランシーバモードで接続先の端末機を指定し、ＣＰＵ１４はこれに応じて、無線データ通信処理部２２に対してコマンドを発行し、無線データ通信処理部２２は所望の接続先への接続を実行する。
【００３９】
接続に成功した場合、選択登録された画像の画像データが画像データ用ＲＡＭ１２から読出され、バス１００を介して無線データ通信処理部２２に転送される。そして無線データ通信処理部２２は受取ったデータを、ベースバンド処理回路２３、無線部２４およびアンテナ５を介して接続先の端末機に送信するよう必要な処理を行なう。
【００４０】
［画像の受信］
相手方の複合端末機から画像データが転送されてきた場合、まずベースバンド処理回路２３が画像データの着信を検出し、ＣＰＵ１４に通知する。ＣＰＵ１４はこれに応じて無線データ通信処理部２２に対してコマンドを発生し、無線データ通信処理部２２に相手方との接続処理を行なわせる。
【００４１】
相手方との接続が完了すると、無線データ通信処理部２２は、接続先の複合端末機から受信したデータをバス１００を介してＣＰＵ１４に転送する。ＣＰＵ１４は受取った画像データを画像データ用ＲＡＭ１２に格納する。
【００４２】
［バッテリレベルデータの交換］
受信側の複合端末機のＣＰＵ１４は、バッテリレベル監視回路１９によってバッテリ２０の残量（バッテリレベル）を計測し、その値を送信側の複合端末機に通知する。送信側の複合端末機のＣＰＵ１４は、受信側からのその通知を待って画像データを転送する。
【００４３】
［この発明による画像送信モード］
次に、この発明の実施の形態によるＤＳＣ・ＰＨＳ複合端末機の画像送信モードの動作について詳細に説明する。
【００４４】
図３および図４は、それぞれ、この発明の第１および第２の実施の形態によるＤＳＣ・ＰＨＳ複合端末機の画像送信モードの動作を示すフロー図である。これらのフロー図に示す画像送信モードの動作は、図２のＲＯＭ１５に格納されたプログラムに基づいてＣＰＵ１４によってソフトウェア的に実行される。
【００４５】
まず、図３の第１の実施の形態のフロー図を参照すると、送信側の複合端末機においてユーザが入力手段１８を用いて画像送信モードを選択すると、ＣＰＵ１４は画像送信モードに入る（ステップＳ１）。ＣＰＵ１４はこれに応じて、無線データ通信処理部２２に送信相手先（受信側）の複合端末機への接続処理を実行させる（ステップＳ２）。
【００４６】
接続に成功すると、送信側のＣＰＵ１４は、送信相手先の複合端末機のバッテリレベルを問合せる（ステップＳ３）。前述のように、送信相手先（受信側）の複合端末機のＣＰＵ１４はバッテリレベル監視回路１９によってバッテリ２０のバッテリレベルを計測している。送信相手先の複合端末機のＣＰＵ１４は、送信側の複合端末機のＣＰＵ１４からの問合せに応じて、計測したバッテリレベルの値を送信側の複合端末機のＣＰＵ１４に通知する。
【００４７】
送信側の複合端末機のＣＰＵ１４は、受信したバッテリレベルがこれから送信しようとしている１枚の画像の画像データを送信するのに十分なバッテリレベルか否かを判定する（ステップＳ４）。
【００４８】
十分なバッテリレベルであるとＣＰＵ１４が判定すると、選択された１枚の画像が画像データ用ＲＡＭ１２から読出され、無線データ通信処理部２２により送信相手先の複合端末機への送信処理が実行される（ステップＳ６）。
【００４９】
この時点で、送信のために選択されているが未だ送信されていない画像が存在すれば（ステップＳ７）、プログラムはステップＳ３へ戻り、ステップＳ３〜Ｓ７が繰返し実行される。
【００５０】
このステップＳ３〜Ｓ７のループを繰返すうちに、ステップＳ５において次の１画像を送信するのに送信相手先のバッテリレベルが十分でないと判断されれば、この１枚の画像については送信の対象とされず、画像送信モードはこれで終了することになる。
【００５１】
次に、図４の第２の実施の形態のフロー図を参照すると、送信側の複合端末機においてユーザが入力手段１８を用いて画像送信モードを選択すると、ＣＰＵ１４は画像送信モードに入る（ステップＳ１１）。ＣＰＵ１４はこれに応じて、無線データ通信処理部２２に送信相手先（受信側）の複合端末機への接続処理を実行させる（ステップＳ１２）。
【００５２】
接続に成功すると、ＣＰＵ１４は、送信相手先の複合端末機のバッテリレベルを問合せる（ステップＳ１３）。そして、問合せにより送信相手先の複合端末機から受信したバッテリレベルにより、ＣＰＵ１４は何枚の画像の画像データが、送信相手先のバッテリ切れなしに送信可能かを判定する（ステップＳ１４）。
【００５３】
そして、送信可能と判定された枚数の画像の画像データが、画像データ用ＲＡＭ１２から読出されて、無線データ通信処理部２２により送信相手先の複合端末機へ送信される（ステップＳ１５）。これにより、画像送信モードは終了する。
【００５４】
以上のように、この発明の実施の形態によるＤＳＣ・ＰＨＳ複合機では、受信側の複合端末機のバッテリレベルを事前に問合せ、そのバッテリレベルが十分な範囲内で画像データを１枚ずつ、または複数枚まとめて、受信側の複合端末機へ送信するようにしている。したがって、画像データの転送中に、受信側の複合端末機でバッテリ切れが起こることがない。このため、画像データの転送中に、受信側の複合端末機のバッテリ切れに起因するエラーの発生を防止することができる。
【００５５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００５６】
【発明の効果】
以上のように、この発明のカメラ移動体電話一体型複合端末装置では、送信相手先の複合端末装置のバッテリレベルが十分な範囲内で、選択された画像の画像データの送信を行なっているので、画像データの転送途中に、送信先のバッテリ切れに起因する通信の切断ならびにエラーの発生を防止することができる。
【図面の簡単な説明】
【図１】  この発明の実施の形態によるＤＳＣ・ＰＨＳ複合端末機の外観斜視図である。
【図２】  この発明の実施の形態によるＤＳＣ・ＰＨＳ複合端末機の電気的構成を示す概略ブロック図である。
【図３】  この発明の第１の実施の形態によるＤＳＣ・ＰＨＳ複合端末機の画像送信モードの動作を示すフロー図である。
【図４】  この発明の第２の実施の形態によるＤＳＣ・ＰＨＳ複合端末機の画像送信モードの動作を示すフロー図である。
【符号の説明】
１  ＤＳＣ・ＰＨＳ複合端末機本体、２  レンズ、３  メインスイッチ、４  シャッタボタン、５  アンテナ、６  表示部、７  モードボタン、８  セットボタン、９  方向ボタン、１０  ＣＣＤ、１１  画像処理回路、１２  画像データＲＡＭ、１３  表示処理回路、１４  ＣＰＵ、１５  ＲＯＭ、１６  ＲＡＭ、１７  時計回路、１８  入力手段、１９  バッテリレベル監視回路、２０  バッテリ、２１  電源回路。
【図１】
0004086428.tif 000002
【図２】
0004086428.tif 000003
【図３】
0004086428.tif 000004
【図４】
0004086428.tif 000005